(57)【要約】【課題】脱穀カウンタ軸に備えたカウンタプーリ（３３）をカバーするプーリカバー（１８）によって、上方から落下してくる長藁や藁屑などが伝動ベルトへ巻き付ことを防止する。【解決手段】車体（１）上に脱穀部（４）を備え、脱穀部（４）の外側部にフィードチェン（８）を備え、脱穀部（４）の前側には脱穀カウンタ軸（３１）を横架し、脱穀カウンタ軸（３１）からフィードチェン（８）を駆動する油圧式無段変速装置（３７）と唐箕（３９）等の選別装置とにベルト伝動するカウンタプーリ（３３）を備え、カウンタプーリ（３３）の前側と上側と外側を覆うプーリカバー（１８）を設ける。また、プーリカバー（１８）を、フィードチェン（８）とフィードチェン（８）の下方に備えたカウンタプーリ（３３）との間に配置する。【選択図】      図４
2014103944.tif 000002
【特許請求の範囲】
【請求項１】
車体（１）上に脱穀部（４）を備え、該脱穀部（４）の外側部にフィードチェン（８）を備え、前記脱穀部（４）の前側には脱穀カウンタ軸（３１）を横架し、該脱穀カウンタ軸（３１）から前記フィードチェン（８）を駆動する油圧式無段変速装置（３７）と唐箕（３９）等の選別装置とにベルト伝動するカウンタプーリ（３３）を備え、該カウンタプーリ（３３）の前側と上側と外側を覆うプーリカバー（１８）を設けたコンバイン。
【請求項２】
前記プーリカバー（１８）が、フィードチェン（８）と該フィードチェン（８）の下方に備えたカウンタプーリ（３３）との間に配置されている請求項１記載のコンバイン。
【請求項３】
前記プーリカバー（１８）の上部に、フィードチェン（８）がカウンタプーリ（３３）の上方を迂回するようにガイドするチェンガイド（２０）が設けられている請求項１又は請求項２記載のコンバイン。
【請求項４】
前記プーリカバー（１８）が、フィードチェン（８）を揺動開閉自在に支持するチェン支持フレーム（２５）に装着されている請求項１又は請求項２又は請求項３記載のコンバイン。
【請求項５】
前記プーリカバー（１８）が、油圧式無段変速装置（３７）に駆動力を入力する内側の大径カウンタプーリ（３３ａ）と、唐箕（３８）等の選別装置へ駆動力を出力する外側の小径カウンタプーリ（３３ｂ，３３ｃ）とを上方から覆うように形成されている請求項１から請求項４のいずれか一項記載のコンバイン。
【発明の詳細な説明】
【技術分野】
【０００１】
この発明は、刈取後の穀稈をフィードチェンによって脱穀部の脱穀室内に供給して脱穀するコンバインに関する。
【背景技術】
【０００２】
特許文献１に開示された技術は、ＨＳＴ（油圧式無段変速装置）によってフィードチェンの駆動速度を無段階に変速制御できるようにし、ＨＳＴを、脱穀部の前側に横架されたカウンタ軸からカウンタプーリを介してベルト伝動するように連動構成されたものである。
【先行技術文献】
【特許文献】
【０００３】
【特許文献１】特開平５−１９９８１２号公報
【発明の概要】
【発明が解決しようとする課題】
【０００４】
上記の従来技術では、カウンタプーリがフィードチェンの始端側下方に位置しているため、刈取部からフィードチェン始端部への引継ぎ時に多量に落下する長藁や藁屑がカウンタプーリやベルトにふりかかって巻き付きトラブルを惹き起す問題があった。
【課題を解決するための手段】
【０００５】
この発明は、上記課題を解決すべく次のような技術的手段を講じた。
すなわち、請求項１記載の発明は、車体（１）上に脱穀部（４）を備え、該脱穀部（４）の外側部にフィードチェン（８）を備え、前記脱穀部（４）の前側には脱穀カウンタ軸（３１）を横架し、該脱穀カウンタ軸（３１）から前記フィードチェン（８）を駆動する油圧式無段変速装置（３７）と唐箕（３９）等の選別装置とにベルト伝動するカウンタプーリ（３３）を備え、該カウンタプーリ（３３）の前側と上側と外側を覆うプーリカバー（１８）を設けたコンバインとする。
【０００６】
上記構成によると、プーリカバー（１８）によって上方から落下してくる長藁や藁屑などがカウンタプーリ（３３）や伝動ベルトに巻き付きにくくなる。
請求項２記載の発明は、前記プーリカバー（１８）が、フィードチェン（８）と該フィードチェン（８）の下方に備えたカウンタプーリ（３３）との間に配置されている請求項１記載のコンバインとする。
【０００７】
上記構成によると、フィードチェン（８）の潤滑油がカウンタプーリ（３３）や伝動ベルトにふりかかりにくくなり、伝動ベルトの滑りなどによるトラブルが発生しにくくなる。
【０００８】
請求項３記載の発明は、前記プーリカバー（１８）の上部に、フィードチェン（８）がカウンタプーリ（３３）の上方を迂回するようにガイドするチェンガイド（２０）が設けられている請求項１又は請求項２記載のコンバインとする。
【０００９】
上記構成によると、チェンガイド（２０）がプーリカバー（１８）の上方にあるため、このプーリカバー（１８）を外さなくても、チェンガイド（２０）を容易に交換することができる。
【００１０】
請求項４記載の発明は、前記プーリカバー（１８）が、フィードチェン（８）を揺動開閉自在に支持するチェン支持フレーム（２５）に装着されている請求項１又は請求項２又は請求項３記載のコンバインとする。
【００１１】
上記構成によると、プーリカバー（１８）をフィードチェン（８）側に装着しているので、フィードチェン（８）の揺動開放によってプーリカバー（１８）も同時にオープンすることができ、メンテナンスが容易に行える。
【００１２】
請求項５記載の発明は、前記プーリカバー（１８）が、油圧式無段変速装置（３７）に駆動力を入力する内側の大径カウンタプーリ（３３ａ）と、唐箕（３８）等の選別装置へ駆動力を出力する外側の小径カウンタプーリ（３３ｂ，３３ｃ）とを上方から覆うように形成されている請求項１から請求項４のいずれか一項記載のコンバインとする。
【００１３】
上記構成によると、外側に小径のカウンタプーリ（３３ｂ，３３ｃ）が位置し、内側に大径のカウンタプーリ（３３ａ）が位置するので、カバー構成が簡単にでき、メンテナンス時にはプーリカバー（１８）をオープンするだけで、伝動ベルトの掛け外しや交換が容易にでき、作業が能率よく行える。
【発明の効果】
【００１４】
請求項１記載の発明によれば、カウンタプーリ（３３）をカバーするプーリカバー（１８）によって、上方から落下してくる長藁や藁屑などの巻き付きを未然に防止することができる。
【００１５】
請求項２記載の発明によれば、請求項１記載の発明の効果に加えて、プーリカバー（１８）は、フィードチェン（８）とカウンタプーリ（３３）との間に配置してあるので、フィードチェン（８）からの潤滑油がカウンタプーリ（３３）や伝動ベルトにふりかかりにくく、伝動ベルトの滑りなどによる不具合の発生を防ぐことができる。
【００１６】
請求項３記載の発明によれば、請求項１又は請求項２記載の発明の効果に加えて、チェンガイド（２０）がプーリカバー（１８）の上方にあるため、チェンガイド（２０）を交換する際にはプーリカバー（１８）を外すことなく容易に交換することができる。
【００１７】
請求項４記載の発明によれば、請求項１又は請求項２又は請求項３記載の発明の効果に加えて、プーリカバー（１８）は、フィードチェン（８）側のチェン支持フレーム（２５）に装着するので、フィードチェン（８）を揺動開放させることでプーリカバー（１８）をも同時に開放することができ、伝動ベルトの交換や着脱が容易となり、フィードチェン（８）のオープンによりプーリカバー（１８）に付着した藁屑等も容易に除去することができる。
【００１８】
請求項５記載の発明によれば、請求項１から請求項４のいずれか一項記載の発明の効果に加えて、外側に小径のカウンタプーリ（３３ｂ，３３ｃ）が位置し、内側に大径のカウンタプーリ（３３ａ）が位置するので、プーリカバー（１８）自体を簡単に構成できるものでありながら、メンテ時にはプーリカバー（１８）をオープンするだけで、伝動ベルトの掛け外しや交換などが容易にでき、作業を能率よく行うことができる。
【図面の簡単な説明】
【００１９】
【図１】コンバインの側面図
【図２】コンバインの平面図
【図３】コンバインの要部の側面図
【図４】同上要部の拡大側面図
【図５】コンバインの要部の正面図
【図６】同上一部の正面図
【図７】同上一部の斜視図
【図８】コンバイン要部の正面図
【図９】コンバインの動力伝達経路図
【図１０】脱穀装置の要部の側面図
【図１１】脱穀装置の別例要部の側面図
【図１２】脱穀装置の別例要部の側面図
【図１３】脱穀装置の別例要部の側面図
【発明を実施するための形態】
【００２０】
この発明の実施例を図面に基づき説明する。
コンバインは、主として立毛穀稈を刈り取って搬送する走行クローラ２を具備した車体１前部の刈取部刈取装置３と、刈取部３から搬送供給される穀稈を脱穀処理する車体後部の脱穀装置（脱穀部）４とからなる。刈取部３の横側部には運転席Ｓや操作ボックス等からなる運転操作部を備え、更に、その運転操作部の後方には脱穀粒を一時的に貯留するグレンタンクＧを装備している。
【００２１】
走行クローラ２には、エンジンＥへの駆動力を無段階に変速して走行クローラ２へ伝達する走行用無段変速装置１６からの出力回転が走行ミッション１７を介して伝達される。
刈取部３は、車体１の走行フレーム１ａから上方に突設した刈取懸架台５に対して刈取入力軸４７を支点として上下に昇降可能で前後方向に沿わせて設けた刈取支持フレーム６に装備している。刈取部３からの刈取搬送穀稈は、前記脱穀部４の扱胴７の扱室一側に沿わせて設けたフィードチェン８と、この上側に対設した挟持レール９との間に受け継がせるように構成している。
【００２２】
また、前記刈取部３は、立毛する穀稈を左右に分草する分草体１０，１０…、分草後の穀稈を引き起す６条分の穀稈引起し装置１１…、引起し後の穀稈を刈り取るバリカン式の刈刃装置１２、刈取後の穀稈を掻込搬送する掻込搬送装置、掻込搬送後の穀稈を引き継いで揚上搬送し後方の脱穀部４に搬送供給する刈取穀稈搬送装置１３等からなる。
【００２３】
刈取穀稈搬送装置１３の終端側には、後方の脱穀部４側に搬送供給する株元側供給チェン１４と穂先側供給チェン１５が上下に配して設けられ、前記脱穀部４のフィードチェン８に適正姿勢で穀稈を受け継ぎさせるように配置構成している。
【００２４】
次に、エンジンＥより脱穀部４へ動力を伝達する動力伝達機構について説明すると、図９に示す如く、エンジンＥの出力軸３０からプーリとベルトを介して脱穀カウンタ軸３１に連動する。更に、該脱穀カウンタ軸３１からプーリとベルトを介して扱胴７への扱胴入力軸３２に連動すると共に、カウンタプーリ３３（３３ａ）からは、ＨＳＴ入力プーリ３４及びＨＳＴ入力ベルト３６を介して油圧式無段変速装置（ＨＳＴ）３７へのＨＳＴ入力軸３５に連動し、また、カウンタプーリ３３（３３ｂ，３３ｃ）からベルト３８ａ，３８ｂを介して唐箕３９や揺動選別棚等の選別装置２８へ動力伝達すべく連動構成している。なお、カウンタプーリ３３は、内側の大径カウンタプーリ３３ａと外側の小径カウンタプーリ３３ｂ，３３ｃとからなり、大径カウンタプーリ３３ａはＨＳＴを駆動し、小径カウンタプーリ３３ｂ，３３ｃは唐箕３９などの選別装置２８を駆動する。
【００２５】
ＨＳＴ３７からは減速ギヤケース４０内の減速ギヤ機構４１、減速出力軸４２及びフィードチェン駆動スプロケット４３を介してフィードチェン８を回転駆動するように連動構成している。
【００２６】
なお、フィードチェン８は、前方に架設する上下方向の揺動開閉支点軸２６によって軸支されたチェン支持フレーム２５にチェンレール２４を一体化し、このチェンレール２４の前端部に軸支した遊動輪８ａと、このチェンレール２４の後端部に軸支した遊動輪８ｂと、ＨＳＴ３７によって駆動されるチェン駆動スプロケット４３と、前記遊動輪８ａとチェン駆動スプロケット４３との間に配置した緊張輪８ｃとにわたって巻き掛ける。これにより、フィードチェン８は、揺動開閉支点軸２６を支点として左右方向に揺動開閉し、フィードチェン８が機体外側方へ回動すると、移動側のチェン駆動スプロケット４３と、機体に固定側の減速出力軸４２の軸端に備えるカップリングギヤとの係合が解除されるようになっている。
【００２７】
前記ＨＳＴ３７は、脱穀部４の扱胴７室前方部で、刈取部を懸架する刈取懸架台５位置よりは後方の空間内に設置してあり、左右の刈取懸架台５，５を連結する連結部材４４と、脱穀部の前側に左右横方向に架設された脱穀カウンタ軸３１の軸受部材４５とを結ぶ支持フレーム４６に減速ギヤケース４０を介して装着支持している。また、ＨＳＴ３７は、フィードチェン８の右側（扱胴側）近くに配置すると共に、該フィードチェンの始端部よりも後方位置に設定している。
【００２８】
また、前記ＨＳＴ３７は、フィードチェン８のみ単独で変速制御する構成であるが、これはＨＳＴトラニオンアームを変速モータにより作動させることで、フィードチェンを任意に増減速制御することができる。また、車速に連動してＨＳＴを駆動しフィードチェンを変速制御することができる。
【００２９】
前記ＨＳＴ３７、唐箕３９、選別装置２８などへベルト伝動するカウンタプーリ３３（３３ａ，３３ｂ，３３ｃ）には、前方から上方及び外面側を覆うプーリカバー１８が設けられている。このプーリカバー１８は、フィードチェン８の下側でカウンタプーリ３３の上側を覆い、上方から落下してくる藁屑などが前方下方に向けて滑り落ちるように適宜傾斜させている。また、このプーリカバー１８は揺動開閉可能なチェン支持フレーム２５に取付ボルト１９を介して着脱自在に取り付けられ、フィードチェン８の揺動開閉によって同時に開閉することができる。
【００３０】
プーリカバー１８の上部には、フィードチェン８がカウンタプーリ３３の上方を迂回するようにガイドするチェンガイド２０が突設されている。また、このチェンガイド２０は、プーリカバー１８と一体化してもよいが、単独で付け替えができるように固定ボルト２１を介して着脱自在に取り付けられている。
【００３１】
フィードチェン８を前方側から駆動する形態のコンバインにおいて、図１０に示す如く、フィードチェン８の終端に軸支した遊動輪８ｂの下方から前方への戻り経路一定区間Ａの範囲内では、戻り経路における下側チェンレール２４ｄを排除し、その排除した下方位置にフィードチェンに引っ掛って運ばれる藁屑などを機体外側方に向けて排出案内するガイド板２２を設けることによって前方の駆動部への藁屑の巻き付きや堆積を防ぐことができる。要するに、下側チェンレールの一部の排除によって藁屑が下方に落下し易くなり、前方側への持ち回りを少なくして駆動部への巻き付きを防ぐことができる。
【００３２】
なお、下側チェンレール２４ｄの始端部をバネ板（ピアノ線でもよい）２４Ｓで構成しておくと、チェンレールに乗り上げる前にバネ板で受けることでチェンにより運ばれる排塵物を効率よく落下させることができる。
【００３３】
また、図１１に示すように、下側チェンレールを欠く一定区間Ａ内では、一個の排塵スプロケット２３ａ又は２個の排塵スプロケット２３ａ，２３ｂをチェンを挟むように噛み合せて作用させることにより藁屑の排出落下を促進することができる。
【００３４】
図１２に示す実施例では、遊動輪８ｂの下方に遊動輪８ｄを設けてフィードチェン８を下側に凸形状とすることで、排塵物の落下を促進することができる。また、遊動輪８ｂと遊動輪８ｄ間のチェン移動軌跡に平行して排塵ガイド２９を設けることで、ガイド板２２への藁屑の案内落下を更に促進することができる。
【００３５】
図１３に示す実施例では、フィードチェン８の外側をカバーするフィードチェンカバー５０は、前方側が下方に出っ張る形状とし、フィートチェンカバー下方のベルトカバー５１は前端がフィードチェンカバー５０より後方位置となるよう配置している。フィードチェンカバー５０の前方側が下方に出っ張る形状とすることで、ＨＳＴ３７、油圧バルブ５３等の油圧関係やバッテリ５２などの外側をカバーすることができ、このフィードチェンカバーを取り外すと、それらのメンテナンスが容易にできる。
【符号の説明】
【００３６】
４    脱穀部
８    フィードチェン
１８    プーリカバー
２０    チェンガイド
２５    チェン支持フレーム
２８    選別装置
３１    脱穀カウンタ軸
３３    カウンタプーリ
３３ａ  大径カウンタプーリ
３３ｂ  小径カウンタプーリ
３３ｃ  小径カウンタプーリ
３７    油圧式無段変速装置（ＨＳＴ）
３９    唐箕
【図１】
2014103944.tif 000003
【図２】
2014103944.tif 000004
【図３】
2014103944.tif 000005
【図４】
2014103944.tif 000006
【図５】
2014103944.tif 000007
【図６】
2014103944.tif 000008
【図７】
2014103944.tif 000009
【図８】
2014103944.tif 000010
【図９】
2014103944.tif 000011
【図１０】
2014103944.tif 000012
【図１１】
2014103944.tif 000013
【図１２】
2014103944.tif 000014
【図１３】
2014103944.tif 000015